(57)【要約】  試料（１２）を収容し、且つ、フロースルー血液安定化技術とポイントオブケア及び近患者試験の適用のための正確な試料分注機能とを提供する生体液回収デバイス（１０）が開示される。本開示の生体液回収デバイスは、血液試料中における試料安定剤の分布混合を実現し、制御された方法で前記安定化された試料を分注することが可能である。この方法において、本開示の生体液回収デバイスは、ポイントオブケア及び近患者試験の適用のための血液マイクロ試料管理、例えば、試料安定剤との受動的混合や、制御された分注を可能にする。有利には、本開示の生体液回収デバイスは内部真空（２８）を含む。この方法において、本開示の生体液回収デバイスによって、使用中に前記生体液回収デバイスに接続しなければならない追加的な真空発生構成要素の必要性がなくなる。
2021522888.tif 000002
【特許請求の範囲】
【請求項１】
試料を収容するために適合させた生体液回収デバイスであって、
入口、出口、及び前記入口と前記出口との間で延びる通路を有するハウジングと、
前記ハウジングの内部にあり、前記通路に流体連通する回収チャンバと、
前記ハウジングの内部にあり、真空を含む排気チャンバと、
前記真空が前記排気チャンバ内に封入される閉位置から、前記真空が前記入口に適用されて前記回収チャンバ内に前記試料を引き寄せる開位置に移行可能な封止材と、を含む生体液回収デバイス。
【請求項２】
前記封止材が、前記回収チャンバの第１部分に設けられる箔素子と、前記回収チャンバの第２部分に設けられるストッパ素子と、を含む、請求項１に記載の生体液回収デバイス。
【請求項３】
第１位置と第２位置との間で移行可能であり、前記箔素子を貫通して前記封止材を前記開位置へ移動させる活性化部材をさらに含む、請求項２に記載の生体液回収デバイス。
【請求項４】
前記ハウジングの前記入口を覆うクロージャをさらに含む、請求項１に記載の生体液回収デバイス。
【請求項５】
前記ハウジングの前記出口を覆い、通気部を有するキャップをさらに含む、請求項１に記載の生体液回収デバイス。
【請求項６】
前記通気部によって、空気はそれを通過し、前記試料がそれを通過することが阻止される、請求項５に記載の生体液回収デバイス。
【請求項７】
下面及び上面を有する膜をさらに含み、
前記膜は、前記膜の前記下面が前記回収チャンバの一部に接触する初期位置と、前記膜の前記下面が前記回収チャンバから間隔があけられる充填位置との間で移行可能である、請求項１に記載の生体液回収デバイス。
【請求項８】
前記充填位置における前記膜によって、前記試料が前記回収チャンバに充填される、請求項７に記載の生体液回収デバイス。
【請求項９】
前記試料が前記回収チャンバに充填されると、前記膜を前記充填位置に移行させる、請求項７に記載の生体液回収デバイス。
【請求項１０】
変形可能部をさらに含み、
前記変形可能部は、前記試料が前記回収チャンバ内に含まれる初期位置と、前記変形可能部が前記膜の前記上面に接触し、前記試料の一部が前記回収チャンバの前記出口から放出される変形位置との間で移行可能である、請求項７に記載の生体液回収デバイス。
【請求項１１】
前記入口と前記回収チャンバとの間に設けられた混合チャンバと、前記入口と前記混合チャンバとの間に設けられた試料安定剤と、をさらに含む、請求項１に記載の生体液回収デバイス。
【請求項１２】
前記混合チャンバが、その中に前記試料及び前記試料安定剤を収容する、請求項１１に記載の生体液回収デバイス。
【請求項１３】
前記混合チャンバが、前記試料中における前記試料安定剤の分布混合を実現する、請求項１２に記載の生体液回収デバイス。
【請求項１４】
前記入口と前記混合チャンバとの間に設けられた孔を含む材料と、前記材料の前記孔の中における乾燥抗凝固剤粉末と、をさらに含む、請求項１１に記載の生体液回収デバイス。
【請求項１５】
前記試料が、前記材料を通過しつつ、前記乾燥抗凝固剤粉末を溶解し、混合する、請求項１４に記載の生体液回収デバイス。
【請求項１６】
前記材料が連続気泡発泡体である、請求項１４に記載の生体液回収デバイス。
【請求項１７】
前記試料安定剤が前記乾燥抗凝固剤粉末である、請求項１４に記載の生体液回収デバイス。
【請求項１８】
前記試料が血液試料である、請求項１に記載の生体液回収デバイス。
【発明の詳細な説明】
【技術分野】
【０００１】
関連出願の相互参照
本出願は、「生体液マイクロ試料管理デバイス（Biological Fluid Micro-Sample Management Device）」という表題の、２０１８年５月１日に出願された米国仮出願第６２／６６５，１００号の優先権を主張するものであり、この全体の開示内容が完全に参照により本明細書に組み込まれる。
【０００２】
本開示は、概して生体液回収デバイスに関する。より詳細には、本開示は、血液の小試料を回収し、且つ、ポイントオブケア又は近患者試験デバイスなど、前記試料を分析するためのデバイス内に前記試料の一部を分注するための回収モジュールに関する。
【背景技術】
【０００３】
患者のポイントオブケアの適用のための、分析のための５００マイクロリットル未満の回収試料などのマイクロ試料の回収を可能にするデバイスの必要性が存在する。現行のデバイスは、従来の試料回収と、ポイントオブケアカートリッジ収容ポート又はポイントオブケア器具収容ポートに小血液試料を移送するための１ｍＬの注射器又はピペットの後続の使用とを必要とする。そのような開放的システムアプローチによって、前記試験を行う従事者の血液曝露リスクが増加し、特定の試験手順に必要な過剰な試験片が回収されることになる。
【発明の概要】
【発明が解決しようとする課題】
【０００４】
ゆえに、従来の自動採血を組み込み、且つ曝露リスクを最小限に抑えつつ新規の制御された試料分注能力を含むポイントオブケアの適用のための血液試料回収及び分注器具を有することが望ましい。
【課題を解決するための手段】
【０００５】
本開示は、試料を収容し、且つ、フロースルー血液安定化技術と、ポイントオブケア及び近患者試験の適用のための正確な試料分注機能と、を提供する生体液回収デバイスを提供する。本開示の生体液回収デバイスは、血液試料中における試料安定剤の分布混合を実現し、制御された方法で前記安定化された試料を分注することが可能である。この方法において、本開示の生体液回収デバイスは、ポイントオブケア及び近患者試験の適用のための血液マイクロ試料管理、例えば、試料安定剤との受動的混合や、制御された分注を可能にする。
【０００６】
有利には、本開示の生体液回収デバイスは、ポイントオブケア及び近患者試験の適用、自動採血、受動的混合技術、並びに近患者試験収容ポートを有するポイントオブケアカートリッジ及び標準ルアーインターフェイス（Luer interfaces）への制御された小試料分注の能力のための一貫した血液試料管理器具を提供する。
【０００７】
有利には、本開示の生体液回収デバイスは内部真空を含む。この方法において、本開示の生体液回収デバイスによって、使用中に前記生体液回収デバイスに接続しなければならない追加的な真空発生構成要素の必要性がなくなる。一実施形態において、前記生体液回収デバイスの排気チャンバには、回収チャンバ内に試料を引き寄せる真空がある。前記生体液回収デバイスの使用者は、前記内部真空をいつ適用するのかについて制御することが可能である。
【０００８】
本発明の実施形態によれば、試料を収容するために適合させた生体液回収デバイスは、入口、出口、及び前記入口と前記出口との間で延びる通路を有するハウジング；前記ハウジングの内部にあり、前記通路に流体連通する回収チャンバ；前記ハウジングの内部にあり、真空を含む排気チャンバ；及び前記真空が前記排気チャンバ内に封入される閉位置から、前記真空が前記入口に適用されて前記回収チャンバ内に前記試料を引き寄せる開位置に移行可能な封止材を含む。
【０００９】
一構成において、前記封止材は、前記回収チャンバの第１部分に設けられる箔素子と、前記回収チャンバの第２部分に設けられるストッパ素子とを含む。別の構成において、前記生体液回収デバイスは、第１位置と第２位置との間で移行可能な活性化部材であって、前記活性化部材が前記箔素子を貫通して前記封止材を前記開位置へ移動させる、活性化部材を含む。さらに別の構成において、前記生体液回収デバイスは、前記ハウジングの前記入口を覆うクロージャを含む。一構成において、前記生体液回収デバイスは、前記ハウジングの前記出口を覆い、通気部を有するキャップを含む。別の構成において、前記通気部によって、空気はそれを通過し、前記試料がそれを通過することが阻止される。さらに別の構成において、前記生体液回収デバイスは、下面及び上面を有する膜であって、前記膜の前記下面が前記回収チャンバの一部に接触する初期位置と、前記膜の前記下面が前記回収チャンバから間隔があけられる充填位置との間で移行可能な前記膜を含む。一構成において、前記充填位置における前記膜によって、前記試料が前記回収チャンバに充填される。別の構成において、前記試料が前記回収チャンバに充填されると、前記膜を前記充填位置に移行させる。さらに別の構成において、前記生体液回収デバイスは、変形可能部であって、前記試料が前記回収チャンバ内に含まれる初期位置と、前記変形可能部が前記膜の前記上面に接触し、前記試料の一部が前記回収チャンバの前記出口から放出される変形位置との間で移行可能な前記変形可能部を含む。一構成において、前記生体液回収デバイスは、前記入口と前記回収チャンバとの間に設けられた混合チャンバ、及び前記入口と前記混合チャンバとの間に設けられた試料安定剤を含む。別の構成において、前記混合チャンバは、その中に前記試料及び前記試料安定剤を収容する。更に別の構成において、前記混合チャンバは、前記試料中における前記試料安定剤の分布混合を実現する。一構成において、前記生体液回収デバイスは、前記入口と前記混合チャンバとの間に設けられた孔を含む材料、及び前記材料の前記孔の中における乾燥抗凝固剤粉末を含む。別の構成において、前記試料は、前記材料を通過しつつ、前記乾燥抗凝固剤粉末を溶解し、混合する。さらに別の構成において、前記材料は連続気泡発泡体である。一構成において、前記試料安定剤は前記乾燥抗凝固剤粉末である。別の構成において、前記試料は血液試料である。
【００１０】
添付の図面と共に取られる本開示の実施形態の以下の記載を参照することで、本開示の上述及び他の特徴及び長所並びにそれらを達成する方法はより明らかになるであろうし、本開示そのものはより良好に理解されるであろう。
【図面の簡単な説明】
【００１１】
【図１】本発明の実施形態にかかる生体液回収デバイスの側部立面図である。
【図２】本発明の実施形態にかかる生体液回収デバイスの分解斜視図である。
【図３Ａ】本発明の実施形態にかかる生体液回収デバイスに接続されたクロージャを有する生体液回収デバイスの斜視図である。
【図３Ｂ】本発明の実施形態にかかる生体液回収デバイスから除去されるクロージャを有する生体液回収デバイスの斜視図である。
【図４Ａ】本発明の実施形態にかかる第１血液回収デバイスに接続されるクロージャを有する生体液回収デバイスの斜視図である。
【図４Ｂ】本発明の実施形態にかかる第２血液回収デバイスに接続される生体液回収デバイスの斜視図である。
【図４Ｃ】本発明の実施形態にかかる第３血液回収デバイスに接続される生体液回収デバイスの斜視図である。
【図５】本発明の実施形態にかかる第１血液回収デバイスに接続されたクロージャを有する生体液回収デバイスの断面側部立面図である。
【図６Ａ】本発明の実施形態にかかる第１位置における活性化部材を有する第１血液回収デバイスに接続されたクロージャを有する生体液回収デバイスの断面側部立面図である。
【図６Ｂ】本発明の実施形態にかかる図６Ａの部分６Ｂに沿って取られた前記生体液回収デバイスの拡大部分断面図である。
【図７Ａ】本発明の実施形態にかかる第２位置における活性化部材を有する第１血液回収デバイスに接続されたクロージャを有する生体液回収デバイスの断面側部立面図である。
【図７Ｂ】本発明の実施形態にかかる図７Ａの部分７Ｂに沿って取られた前記生体液回収デバイスの拡大部分断面図である。
【図８Ａ】本発明の実施形態にかかる生体液回収デバイスの第１部分の中に引き寄せられる試料を有する第１血液回収デバイスに接続されたクロージャを有する生体液回収デバイスの断面側部立面図である。
【図８Ｂ】本発明の実施形態にかかる生体液回収デバイスの第２部分の中に引き寄せられる試料を有する第１血液回収デバイスに接続されたクロージャを有する生体液回収デバイスの断面側部立面図である。
【図８Ｃ】本発明の実施形態にかかる生体液回収デバイスの第３部分の中に引き寄せられる試料を有する第１血液回収デバイスに接続されたクロージャを有する生体液回収デバイスの断面側部立面図である。
【図８Ｄ】本発明の実施形態にかかる生体液回収デバイスの第４部分の中に引き寄せられる試料と充填位置における膜とを有する第１血液回収デバイスに接続されたクロージャを有する生体液回収デバイスの断面側部立面図である。
【図９】本発明の実施形態にかかる除去されるキャップと初期位置における変形可能部とを有する生体液回収デバイスの断面側部立面図である。
【図１０】本発明の実施形態にかかる変形位置における変形可能部を有する生体液回収デバイスの断面側部立面図である。
【図１１】本発明の実施形態にかかる第３血液回収デバイスに接続された生体液回収デバイスの断面側部立面図である。
【図１２】本発明の実施形態にかかる生体液回収デバイスの中に引き寄せられる試料と充填位置における膜とを有する第３血液回収デバイスに接続された生体液回収デバイスの断面側部立面図である。
【図１３】本発明の実施形態にかかる連続気泡発泡体材料の斜視図である。
【図１４】本発明の実施形態にかかるそのマイクロ構造にわたって分布する乾燥抗凝固剤粉末を有する連続気泡発泡体材料のマイクロ構造の顕微鏡図である。
【発明を実施するための形態】
【００１２】
対応する符号は、いくつかの前記図にわたって対応する部分を示す。本明細書に示される例示は、本開示の例示的な実施形態を示し、そのような例示は、いかなる方法でも本開示の範囲を限定するものとして解釈されるものではない。
【００１３】
本発明を実施するために考察される、記載された実施形態を当業者が製作し使用することを可能にするために、以下の記載が提供される。しかし、各種の修正、均等物、変更及び変形例は、当業者にとって容易に明らかなままとなるであろう。あらゆるそのような修正、変更、均等物及び変形例は、本発明の精神及び範囲内にあることが意図される。
【００１４】
以下記載の目的のために、「上」、「下」、「右」、「左」、「垂直」、「水平」、「最上」、「底」、「横方向」、「長手方向」という用語及びそれらの派生物は、それが図面内で方向づけられる場合、本発明に関連する。しかし、本発明が、反対に明示的に特定される場合を除き、各種の代替的変更を想定してもよいことを理解すべきである。添付の図面に示され、以下の明細書に記載される前記特定のデバイスが単に本発明の例示的な実施形態であることも理解されるべきである。ゆえに、本明細書に開示される前記実施形態に関する特定の寸法及び他の物理的特性は、限定的なものとして考えるべきではない。
【００１５】
本開示は、試料を収容し、且つ、フロースルー血液安定化技術と、ポイントオブケア及び近患者試験の適用のための正確な試料分注機能と、を提供する生体液回収デバイスを提供する。本開示の生体液回収デバイスは、血液試料中における試料安定剤の分布混合を実現し、制御された方法で前記安定化された試料を分注することが可能である。この方法において、本開示の生体液回収デバイスは、ポイントオブケア及び近患者試験の適用のための血液マイクロ試料管理、例えば、試料安定剤との受動的混合や、制御された分注を可能にする。
【００１６】
有利には、本開示の生体液回収デバイスは、ポイントオブケア及び近患者試験の適用、自動採血、受動的混合技術、並びに近患者試験収容ポートを有するポイントオブケアカートリッジ及び標準ルアーインターフェイスへの制御された小試料分注の能力のための一貫した血液試料管理器具を提供する。
【００１７】
有利には、本開示の生体液回収デバイスは内部真空を含む。この方法において、本開示の生体液回収デバイスによって、使用中に前記生体液回収デバイスに接続しなければならない追加的な真空発生構成要素の必要性がなくなる。一実施形態において、前記生体液回収デバイスの排気チャンバには、回収チャンバ内に試料を引き寄せる真空がある。前記生体液回収デバイスの使用者は、前記内部真空をいつ適用するのかについて制御することが可能である。
【００１８】
図１〜図５は、本開示の生体液回収デバイスの例示的な実施形態を示す。図１〜図５を参照すると、本開示の生体液回収デバイス１０は、血液試料などの生体液試料１２を収容するために適合され、ハウジング又はハウジング構築体１４、回収チャンバ１６、排気チャンバ１８、封止材又は封止材構築体２０、クロージャ２２、キャップ２４及び混合構築体２６を含む。
【００１９】
有利には、本開示の生体液回収デバイス１０は、前記ハウジング１４の内部にあり、前記生体液回収デバイス１０の内部に真空２８を含む排気チャンバ１８を含む。
【００２０】
一実施形態において、前記生体液回収デバイス１０の前記ハウジング又はハウジング構築体１４は、入口３０、出口３２、及び前記入口３０と前記出口３２との間で延びる通路３４を有する主要ハウジング２９を含む。一実施形態において、前記入口３０は、前記主要ハウジング２９の第１端部３６に位置し、前記出口３２は、前記主要ハウジング２９の第２端部３８に位置する。前記入口３０及び前記出口３２は、それらの間で延びる前記通路３４を介して流体連通している。
【００２１】
一実施形態において、前記ハウジング１４は、前記主要ハウジング２９の前記第１端部３６に固定されたコネクタハウジング４０を含んでもよい。前記コネクタハウジング４０は、コネクタハウジングインターフェース４２及びフランジ４４を含む。一実施形態において、図４Ａ〜図４Ｃに示され、以下にさらに詳細に記載されるように、前記コネクタハウジングインターフェース４２は、前記生体液回収デバイス１０を、標準ルアーインターフェイス２２４を介して第２血液回収デバイス２２０に、又は標準ルアーインターフェイス２３４を介して第３血液回収デバイス２３０に接続するために使用され得るオスルアー取付具４６を含む。一実施形態において、前記主要ハウジング２９の前記第１端部３６に固定されたコネクタハウジング４０と共に、前記生体液回収デバイス１０の前記入口３０は、前記コネクタハウジング４０の前記インターフェース４２に位置する。
【００２２】
一実施形態において、前記生体液回収デバイス１０は、前記ハウジング１４の内部にあり、前記通路３４に流体連通する回収チャンバ１６と、前記ハウジング１４の内部にあり、真空２８を含む排気チャンバ１８と、混合構築体２６とを含む。一実施形態において、前記ハウジング構築体１４は、前記主要ハウジング２９の内部に内部ハウジング５０を含む。一実施形態において、前記内部ハウジング５０は、前記回収チャンバ１６及び前記排気チャンバ１８を規定する。
【００２３】
有利には、本開示の生体液回収デバイス１０は、前記ハウジング１４の内部にあり、前記生体液回収デバイス１０の内部に真空２８を含む前記排気チャンバ１８を含む。本開示の真空２８を含む前記排気チャンバ１８によって、使用中に前記生体液回収デバイス１０に接続していなければならない追加的な真空発生構成要素の必要性がなくなる。
【００２４】
前記生体液回収デバイス１０の前記排気チャンバ１８は、前記回収チャンバ１６内に試料１２を引き寄せる真空２８を有する。前記生体液回収デバイス１０の使用者は、以下でさらに詳細に記載されるように前記内部真空２８をいつ適用するのかについて制御することが可能である。
【００２５】
前記生体液回収デバイス１０は、前記真空２８が前記排気チャンバ１８内に封入される閉位置（図５〜図６Ｂ）から、前記真空２８が前記生体液回収デバイス１０の前記通路３４及び前記入口３０に適用されて前記生体液回収デバイス１０内に試料１２を引き寄せる開位置（図７Ａ−８Ｄ）に移行可能な封止材又は封止材構築体２０を含む。
【００２６】
図２を参照すると、一実施形態において、前記封止材２０は、前記排気チャンバ１８の第１部分に設けられる箔素子１００を含む。例えば、一実施形態において、前記箔素子１００は、前記排気チャンバ１８の壁内の穴１０２を封止する。前記封止材２０は、前記排気チャンバ１８の第２部分に設けられるストッパ素子１０４を含んでもよい。例えば、一実施形態において、前記ストッパ素子１０４は、前記内部ハウジング５０の第１端部１０６を封止してもよい。
【００２７】
一実施形態において、前記ストッパ素子１０４は、封止のために従来から用いられている任意の可撓性エラストマー材料で成形された単一デバイスであってもよい。特に、前記ストッパ素子１０４は、ゴム、シリコーン系エラストマー及び熱可塑性エラストマーを含むエラストマー材料又は同様の材料から形成されてもよい。
【００２８】
前記生体液回収デバイス１０は、第１位置（図５〜図６Ｂ）と第２位置（図７Ａ〜図８Ｄ）との間で移行可能な活性化部材１１０を含み、前記活性化部材１１０は、前記箔素子１００を貫通して前記封止材２０を前記開位置（図７Ａ〜図８Ｄ）へ移動させる。開位置の前記封止材２０と共に、前記排気チャンバ１８内に含まれる前記真空２８は前記入口３０及び通路３４に適用されて、前記回収チャンバ１６内に試料１２を引き寄せる。この方法で、前記排気チャンバ１８内に含まれる前記真空２８は、開放穴１０２を介して前記生体液回収デバイス１０の前記回収チャンバ１６及び通路３４に連通して配置され、前記排気チャンバ１８の前記真空２８は、前記生体液回収デバイス１０の前記回収チャンバ１６内に試料１２を引き寄せる。
【００２９】
一実施形態において、前記活性化部材１１０は、前記主要ハウジング２９の第２変形可能部９４と前記排気チャンバ１８の壁内の前記穴１０２を封止する前記箔素子１００とのの間の前記生体液回収デバイス１０内に設けられる。この方法において、図７Ａ及び図７Ｂを参照すると、一実施形態において、使用者は、前記第２変形可能部９４が前記活性化部材１１０に接触して、前記活性化部材１１０が前記箔素子１００を貫通して前記封止材２０を前記開位置（図７Ａ〜図８Ｄ）へ移動させる前記第２位置（図７Ａ〜図８Ｄ）に前記活性化部材１１０を押し下げるように、前記第２変形可能部９４を押し下げてもよい。前記活性化部材１１０によって、前記生体液回収デバイス１０の使用者が、前記生体液回収デバイス１０の前記回収チャンバ１６内に試料１２を引き寄せるために前記内部真空２８をいつ適用するのかを制御することができるようになる。
【００３０】
前記混合構築体２６及び前記回収チャンバ１６は、前記通路３４に流体連通して提供される。前記生体液回収デバイス１０の前記入口３０に導入された血液試料などの生体液試料１２が、まず試料安定剤６０を通過し、次いで前記血液試料１２及び前記試料安定剤６０が前記混合構築体２６を通過し、続いて、その中で前記試料安定剤６０と適切に混合された前記試料１２が前記回収チャンバ１６内に流入した後、前記生体液回収デバイス１０の前記出口３２に達するように、前記混合構築体２６及び前記回収チャンバ１６が位置決めされる。このようにして、前記血液試料１２は、前記血液試料１２中における前記試料安定剤６０の適切な混合のための前記混合構築体２６を通過する前に、前記生体液回収デバイス１０内で提供される抗凝固剤又は他の添加剤などの試料安定剤６０と混合されてもよく、次いで、前記安定化試料は、前記回収チャンバ１６内に収容され、貯蔵される。
【００３１】
一実施形態において、試料安定剤６０は、ハウジング構築体１４のコネクタハウジング４０の前記入口３０と前記混合構築体２６との間に設けられる。本開示の前記生体液回収デバイス１０は、前記試料安定剤６０との血液試料１２の受動的で且つ急速な混合を提供する。例えば、前記生体液回収デバイス１０は、前記血液試料１２が前記混合構築体２６の中を流れる際に血液安定剤などの抗凝固剤又は他の添加剤との前記血液試料１２の受動的混合を可能にする混合構築体２６を含む。
【００３２】
前記試料安定剤６０は、抗凝固剤であることが可能であり、又は、例えば、ＲＮＡ、タンパク質分析物若しくは他の成分など、前記血液中に特定の成分を保存するように設計された物質であることが可能である。一実施形態において、前記試料安定剤６０は、前記入口３０と前記混合構築体２６との間に設けられる。他の実施形態において、前記試料安定剤６０は、前記生体液回収デバイス１０の前記ハウジング１４内の他の領域内に設けられてもよい。
【００３３】
図１３及び図１４を参照すると、一実施形態において、前記生体液回収デバイス１０は、孔７２を含む材料７０と、前記材料７０の前記孔７２の中にある乾燥抗凝固剤粉末７４とを含む。一実施形態において、前記材料７０は、ハウジング構築体１４のコネクタハウジング４０の前記入口３０と前記混合構築体２６との間に設けられる。この方法において、前記生体液回収デバイス１０は、前記生体液回収デバイス１０の一部の上又は中に置かれたヘパリン又はＥＤＴＡなどの乾燥抗凝固剤を含んでもよい。一実施形態において、前記材料７０は、フロースルー混合及び抗凝固剤取り込みの有効性を促進するために連続気泡発泡体の気泡中に分散させた乾燥抗凝固剤を含む連続気泡発泡体である。一実施形態において、前記試料安定剤６０は、前記乾燥抗凝固剤粉末７４である。
【００３４】
一実施形態において、前記連続気泡発泡体を抗凝固剤で処理して、前記連続気泡発泡体の前記孔７２にわたって微細に分布させた乾燥抗凝固剤粉末７４を形成してもよい。前記血液試料１２が前記生体液回収デバイス１０に入るにつれて、前記血液試料１２は、前記連続気泡発泡体を通過し、前記連続気泡発泡体の内部空孔構造にわたって利用可能な前記抗凝固剤粉末７４に曝露される。この方法において、前記試料１２は、前記材料７０又は連続気泡発泡体を通過しつつ、前記乾燥抗凝固剤粉末７４を溶解し、混合する。
【００３５】
前記連続気泡発泡体は、血液に不活性な軟質の変形可能な連続気泡発泡体、例えばメラミン発泡体、例えばＢＡＳＦから商業的に入手可能なBasotect（登録商標）発泡体であってもよいか、又はホルムアルデヒド−メラミン−重亜硫酸ナトリウムコポリマーからなってもよい。前記連続気泡発泡体は、熱及び有機溶剤に対して実質的に耐性のある可撓性親水性連続気泡発泡体であってもよい。一実施形態において、前記発泡体は、スポンジ材料を含んでもよい。
【００３６】
前記発泡体を前記添加剤及び水の液体溶液中に浸漬し、続いて、前記水を蒸発させて、前記発泡体の内部構造にわたって微細に分布した乾燥添加剤粉末を形成することによって、前記抗凝固剤又は他の添加剤を前記連続気泡発泡体に導入してもよい。
【００３７】
前記生体液回収デバイス１０は、前記血液試料１２が前記混合構築体２６の中を流れる際に血液安定剤などの抗凝固剤又は別の添加剤との前記血液試料１２の受動的混合を可能にする混合構築体２６を含む。一実施形態において、前記混合構築体２６は、前記入口３０と前記出口３２との間に設けられる。
【００３８】
前記混合構築体２６の内側部分は、前記血液試料１２が前記生体液回収デバイス１０の前記通路３４を通過する際にそれが抗凝固剤又は別の添加剤との前記血液試料１２の混合を提供する限り、任意の適切な構造又は形態を有してもよい。一実施形態において、前記混合構築体２６は、外壁８２と内側チャネル８６を規定する内壁８４とを有する混合チャンバ８０を含む。前記混合チャンバ８０は、前記外壁８２と前記内壁８４との間に規定された外側チャネル８８も含む。一実施形態において、前記混合チャンバ８０は、前記入口３０と前記回収チャンバ１６との間に設けられる。
【００３９】
一実施形態において、前記内壁８４は出口穴９０を含む。一実施形態において、分布混合のための前記混合構築体２６を通る前記血液試料１２及び前記試料安定剤６０の流れを制御するために前記出口穴９０の断面積の大きさが決定される。血液試料１２が前記生体液回収デバイス１０に入る際、まず、前記血液試料１２は試料安定剤６０を通過し、次いで、前記血液試料１２及び前記試料安定剤６０は、制御された分布混合のための前記混合構築体２６又は前記混合チャンバ８０に入る。例えば、前記混合構築体２６に入る試料安定剤６０を有する前記血液試料１２の第１部分が前記内側チャネル８６に流入する。前記内側チャネル８６が一杯になると、前記混合構築体２６に入る試料安定剤６０を有する前記血液試料１２の後続部分が前記外側チャネル８８に流れることになる。前記出口穴９０の断面積が減少することによって、前記内側チャネル８６からの試料安定剤６０を有する前記血液試料１２の流量が低下する。この方法において、前記内側チャネル８６内の前記試料安定剤６０を有する前記血液試料１２の前記第１部分は、前記外側チャネル８８を流れる試料安定剤６０を有する前記血液試料１２の後続部分との制御された分布混合のための前記混合チャンバ８０内に戻る制御された速度で、前記内側チャネル８６の前記出口穴９０から流出する。
【００４０】
一実施形態において、前記生体液回収デバイス１０は、分布混合のための前記混合構築体２６を通る前記血液試料１２及び前記試料安定剤６０の流れを制御するために使用され得る弁９６を含む。
【００４１】
前記混合チャンバ８０は、その中に前記試料１２及び前記試料安定剤６０を収容し、前記試料１２中における前記試料安定剤６０の分布混合を実現する。前記混合チャンバ８０は、前記試料１２中における前記試料安定剤６０の分布混合を実現し、前記血液試料１２の任意部分における非常に高い試料安定剤濃度を阻止する。これによって、前記血液試料１２の任意の部分における前記試料安定剤６０の過少量投与が阻止される。前記混合チャンバ８０は、ほぼ等しい量及び／又は濃度の前記試料安定剤６０が前記血液試料１２にわたって溶解されるように、例えば、ほぼ等しい量及び／又は濃度の前記試料安定剤６０が、前記血液試料１２の前側部分から前記血液試料１２の後側部分に前記血液試料１２中に溶解されるように、前記試料１２中における前記試料安定剤６０の分布混合を実現する。
【００４２】
一実施形態において、前記生体液回収デバイス１０は、前記混合構築体２６と前記出口３２との間に設けられた回収チャンバ１６を含む。一実施形態において、前記回収チャンバ１６は、空隙上面５４及び空隙下面５６を有する空隙５２を含む。
【００４３】
前記生体液回収デバイス１０は、下面６４、上面６６、ドーム部６７及びフランジ部６８を有する膜６２を含む。一構成において、前記膜６２は、以下でさらに詳細に記載されるように、チャンバ６９（図８Ｄ及び図９）を形成する。一実施形態において、前記膜６２は、前記膜６２の前記下面６４が前記回収チャンバ１６の一部に接触する初期位置（図５）、例えば前記空隙５２の前記上面５４と、前記膜６２の前記下面６４が前記回収チャンバ１６から間隔をあけられる充填位置（図８Ｄ及び図９）、例えば空隙５２との間で移行可能である。一実施形態において、以下でさらに詳細に記載されるように、前記充填位置における前記膜６２によって、前記試料１２が前記回収チャンバ１６に充填される。以下に記載されるように、前記試料１２が前記回収チャンバ１６に充填されると、前記膜６２を前記充填位置に移行させる。
【００４４】
一実施形態において、前記膜６２は、前記膜６２の前記フランジ部６８によって前記生体液回収デバイス１０内の前記内部ハウジング５０の一部に確実に位置決めされる。一実施形態において、前記膜６２は、事前に排気された血液回収チャンバを可能にする薄い可撓性の膜である。
【００４５】
一実施形態において、前記生体液回収デバイス１０は、前記試料１２が前記回収チャンバ１６内に含まれる初期位置（図９）と、前記変形可能部９２が前記膜６２の前記上面６６に接触し、前記試料１２の一部が前記回収チャンバ１６の前記出口３２から放出される変形位置（図１０）との間で移行可能な変形可能部９２を含む。
【００４６】
一実施形態において、前記変形可能部９２は、前記主要ハウジング２９の一部に位置する。一実施形態において、前記生体液回収デバイス１０は、前記変形可能部９２から間隔をあけられた前記主要ハウジング２９の一部に位置する第２変形可能部９４も含む。
【００４７】
有利には、本開示の生体液回収デバイス１０は、変形可能部９２を有することによって、制御された方法で前記回収チャンバ１６及び前記出口３２から試料１２を分注することが可能である。
【００４８】
前記混合構築体２６を通過した後、前記安定化試料は、前記回収チャンバ１６に方向づけられる。前記回収チャンバ１６は、所望の試験に必要な充分な量、例えば５００μＬ以下の血液を貯蔵するために任意の適切な形状及び大きさをとることができる。
【００４９】
前記変形可能部９２及び前記第２変形可能部９４は、可撓性で、変形可能で、前記回収チャンバ１６との流体密封を提供することが可能な任意の材料で作製され得る。いくつかの実施形態において、前記変形可能部９２及び前記第２変形可能部９４は、天然ゴム又は合成ゴム及び他の適切なエラストマー材料で作製され得る。前記変形可能部９２及び前記第２変形可能部９４は、前記変形可能部９２及び前記第２変形可能部９４が初期位置と変形位置との間で移行可能であるように前記主要ハウジング２９の一部に固定される。
【００５０】
一実施形態において、前記生体液回収デバイス１０は、前記ハウジング１４の前記入口３０を覆うクロージャ２２を含む。例えば、前記クロージャ２２は、前記ハウジング１４のコネクタハウジング４０の前記入口３０に係合されて前記通路３４を封止する。前記クロージャ２２は、前記入口３０を保護して覆う。前記クロージャ２２は、前記ハウジング１４の前記通路３４内への血液試料１２の導入を可能にし、Becton,Dickinson and Companyから商業的に入手可能なHemogard（商標）キャップなどの外側シールド１２２を有する貫通可能自己密封式ストッパ１２０を含んでもよい。
【００５１】
有利には、本開示の生体液回収デバイス１０は、ＬＬＡＤ（ルアーラインアクセスデバイス（Luer Line Access Device））又は任意の他のホルダを用いることなく直接のルアーアクセスを可能にする。
【００５２】
有利には、本開示の生体液回収デバイス１０は、血液試料１２などの生体液が通過する多くの異なる源に係合されてもよい。例えば、図４Ａ〜図４Ｃを参照すると、本開示の生体液回収デバイス１０は、複数の異なる血液回収デバイスへの接続を可能にする。図４Ａを参照すると、第１構成において、前記生体液回収デバイス１０の前記入口３０及び前記通路３４を封止するために前記ハウジング１４に係合されたクロージャ２２によって前記生体液回収デバイス１０は第１血液回収デバイス２１０に接続されてもよい。一実施形態において、前記第１血液回収デバイス２１０は、針カニューレ２１４を有するチューブホルダ２１２を含む。
【００５３】
図４Ｂを参照すると、第２構成において、前記生体液回収デバイス１０の前記ハウジング１４から除去されたクロージャ２２によって前記生体液回収デバイス１０は第２血液回収デバイス２２０に接続されてもよい。一実施形態において、前記第２血液回収デバイス２２０は、ルアーインターフェイス２２４を有するライン２２２を含む。
【００５４】
図４Ｃを参照すると、第３構成において、前記生体液回収デバイス１０の前記ハウジング１４から除去されたクロージャによって前記生体液回収デバイス１０は第３血液回収デバイス２３０に接続されてもよい。一実施形態において、前記第３血液回収デバイス２３０は、ルアーインターフェイス２３４を有する動脈血液回収デバイス２３２を含む。
【００５５】
有利には、本開示の生体液回収デバイス１０によって、使用者が、ＬＬＡＤ（ルアーラインアクセスデバイス）又は任意の他のホルダを用いることなく、ルアーライン、例えば、ＩＶカテーテル、ウイングセット（wingset）、ＰＩＣＣ又は同様デバイスに直接接続することが可能になる。上記で考察されるように、前記生体液回収デバイス１０の前記入口３０及び前記通路３４を封止するために前記ハウジング１４に係合されたクロージャ２２によって、使用者は前記生体液回収デバイス１０を従来のチューブホルダに接続してもよい。前記生体液回収デバイス１０の前記ハウジング１４から除去されたクロージャによって、使用者は前記コネクタハウジングインターフェース４２を用いて前記生体液回収デバイス１０をルアーインターフェイスに接続してもよい。
【００５６】
一実施形態において、前記生体液回収デバイス１０は、前記ハウジング１４の前記出口３２を覆い、且つ通気部又は通気プラグ１３０を有するキャップ２４を含む。前記キャップ２４は、前記出口３２に着脱自在に取り付け可能であり、且つ前記出口３２を保護して覆う。一実施形態において、前記キャップ２４の前記通気部１３０によって、空気はそれを通過し、前記試料１２がそれを通過するが阻止される。
【００５７】
前記キャップ２４及び通気部１３０の構築は、前記血液試料１２が前記キャップ２４を通過することを阻止しつつ、空気が前記キャップ２４を通過することを可能にし、疎水性のフィルタ又は弁を含んでもよい。前記通気部１３０は、前記生体液回収デバイス１０の前記通路３４及び／又は前記回収チャンバ１６の充填率を微細に制御するために用いられ得る空気通過耐性を選択した。前記通気部１３０の多孔性を変化させることによって、前記キャップ２４からの空気流の速度、したがって、前記生体液回収デバイス１０内への前記血液試料流の速度を制御してもよい。
【００５８】
一実施形態において、前記生体液回収デバイス１０は、プラグ又は通気孔１４０を含む。一実施形態において、前記プラグ１４０は、孔を有する材料で形成されてもよい。以下でさらに詳細に記載されるように、前記孔は、空気を前記生体液回収デバイス１０から排気することができる。一実施形態において、前記生体液回収デバイス１０は、一つのプラグ１４０を含んでもよい。他の実施形態において、前記生体液回収デバイス１０は、二つ以上のプラグ１４０を含んでもよい。
【００５９】
図４Ａ〜図１０を参照して、次に本開示の生体液回収デバイス１０の使用を説明する。図４Ａ〜図４Ｃを参照すると、使用者は、前記生体液回収デバイス１０が血液試料を収容することが可能である仕方、源又は方法の内の一つを選択することができる。例えば、本開示の生体液回収デバイス１０は、限定されるものではないが第１血液回収デバイス２１０（図４Ａ及び図５〜図８Ｄ）、第２血液回収デバイス２２０（図４Ｂ）、第３血液回収デバイス２３０（図４Ｃ及び図１１〜図１２）又は他の血液回収デバイスが挙げられる様々な源から血液試料を収容することを可能にする。
【００６０】
図４Ａ及び図５〜図８Ｄを参照すると、第１構成において、前記生体液回収デバイス１０の前記入口３０及び前記通路３４を封止するために前記ハウジング１４に係合されたクロージャ２２によって、前記生体液回収デバイス１０は第１血液回収デバイス２１０に接続されてもよい。一実施形態において、前記第１血液回収デバイス２１０は、針カニューレ２１４を有するチューブホルダ２１２を含む。
【００６１】
使用中において、チューブホルダ２１２の針カニューレ２１４は、クロージャ２２の前記貫通可能自己密封式ストッパ１２０を通してなど、前記入口３０を通して、前記生体液回収デバイス１０の前記ハウジング１４の前記通路３４内に挿入される。図５〜図８Ｄに示されるように、前記生体液回収デバイス１０は、血液試料１２などの生体液が通過するカニューレ２１４を有する従来のチューブホルダ２１２内に挿入されてもよい。
【００６２】
前記血液試料１２は、前記排気チャンバ１８内に含まれる前記真空２８の引き寄せによって、従来の前記チューブホルダ２１２から前記生体液回収デバイス１０の前記ハウジング１４の前記通路３４内に引き入れられる。前記生体液回収デバイス１０の使用者は、前記生体液回収デバイス１０の前記内部真空２８をいつ適用するのかについて制御することが可能である。
【００６３】
例えば、図７Ａ及び図７Ｂを参照すると、所望の場合、使用者は、前記活性化部材１１０が前記箔素子１００を貫通して前記封止材２０を前記開位置（図７Ａ〜図８Ｄ）へ移動させる第２位置（図７Ａ〜図８Ｄ）に前記活性化部材１１０を押し下げてもよい。前記開位置における前記封止材２０によって、前記排気チャンバ１８内に含まれる前記真空２８は、前記入口３０及び前記通路３４に適用されて、前記回収チャンバ１６内に試料１２を引き寄せる。この方法において、前記排気チャンバ１８内に含まれる前記真空２８は、前記開放穴１０２を介して前記生体液回収デバイス１０の前記回収チャンバ１６及び前記通路３４に連通して配置され、前記排気チャンバ１８の前記真空２８は、前記生体液回収デバイス１０の前記回収チャンバ１６内に試料１２を引き寄せる。
【００６４】
一実施形態において、使用者は、前記活性化部材１１０を第２位置（図７Ａ〜図８Ｄ）に直接押し下げてもよい。別の実施形態において、図７Ａ及び図７Ｂに示されるように、前記活性化部材１１０は、主要ハウジング２９の前記第２変形可能部９４と前記排気チャンバ１８の壁内の穴１０２を封止する前記箔素子１００との間において前記生体液回収デバイス１０内に設けられる。この方法において、使用者は、前記活性化部材１１０が前記箔素子１００を貫通して前記封止材２０を前記開位置（図７Ａ〜図８Ｄ）へ移動させる前記第２位置（図７Ａ〜図８Ｄ）に前記活性化部材１１０に前記第２変形可能部９４が接触して押し下げるように、前記第２変形可能部９４を押し下げてもよい。
【００６５】
一実施形態において、前記血液試料１２が前記生体液回収デバイス１０に入る際、前記血液試料１２が、前記連続気泡発泡体、例えば前記材料７０を通過し、前記連続気泡発泡体の前記内部孔７２構造にわたって利用可能な前記抗凝固剤粉末７４に曝露されるように、前記血液試料１２は前記通路３４を充填する。この方法において、前記試料１２は、前記材料７０又は連続気泡発泡体を通過しつつ、前記乾燥抗凝固剤粉末７４を溶解し、混合する。次に、前記混合チャンバ８０は、上記で詳細に記載されるように、その中に前記試料１２及び前記試料安定剤６０を収容し、前記試料１２中における前記試料安定剤６０の分布混合を実現する。前記混合チャンバ８０を通過した後、前記安定化試料は、前記回収チャンバ１６に方向づけられる。前記回収チャンバ１６は、所望の試験に必要な充分な量、例えば５００μＬ以下の血液を貯蔵するために任意の適切な形状及び大きさをとることができる。
【００６６】
一実施形態において、前記キャップ２４は、前記生体液回収デバイス１０の前記通路３４、前記混合チャンバ８０及び前記回収チャンバ１６が完全に充填された場合に前記血液試料１２の回収を停止させる。前記キャップ２４の前記通気部１３０は、前記血液試料１２が前記キャップ２４を通過することを阻止しつつ、空気が前記キャップ２４を通過することを可能にする。
【００６７】
一実施形態において、前記生体液回収デバイス１０は、それに血液試料１２が充填される際、空気も排気する。例えば、一実施形態において、前記生体液回収デバイス１０の設計は、前記膜６２が上昇する場合よりも前記プラグ１４０を通る抵抗が小さいように、すなわち、エネルギーが小さいようになされる。この方法において、図８Ａ〜図８Ｄに示されるように、前記血液試料１２が前記生体液回収デバイス１０を充填し始める際、空気は、前記プラグ１４０及び／又は前記キャップ２４の前記通気部１３０を介して前記生体液回収デバイス１０を通過して出る。前記血液試料１２が前記生体液回収デバイス１０を充填し続ける際、空気は、前記プラグ１４０及び／又は前記キャップ２４の前記通気部１３０を通過して前記生体液回収デバイス１０から出ることを続ける。図８Ｃを参照すると、
前記血液試料１２が前記通路３４及び前記回収チャンバ１６を充填すると、次いで、前記血液試料１２は前記プラグ１４０に湿潤し、それによって、いかなる流体も前記プラグ１４０を通って移動することが封鎖される。前記プラグ１４０及び／又は前記キャップ２４の前記通気部１３０を通して前記生体液回収デバイス１０内のあらゆる空気を排気することによって、前記膜６２の前記チャンバ６９に血液が充填される前に、又は前記膜６２の前記チャンバ６９に血液が充填される際、前記システムにわたる全ての可能な空気が排気される。
【００６８】
図８Ｄを参照すると、一実施形態において、全ての前記空気が前記生体液回収デバイス１０から排出され、前記プラグ１４０が湿潤した後、残りの前記真空２８は前記膜６２を上方に引く、すなわち、残りの前記真空２８は、前記初期位置から充填位置（図８Ｄ）に前記膜６２を移行させる。図８Ｄを参照すると、（前記生体液回収デバイス１０内に空気がないので）前記膜６２が上昇するか、又は残りの前記真空２８によって引き上げられる際、前記血液試料１２の一部が、前記膜６２の前記下面６４と前記空隙５２の前記上面５４との間に位置するチャンバ６９内に引き寄せられる。図８Ｄに示されるように、前記チャンバ６９に血液試料１２が充填されるまで、残りの前記真空２８は前記膜６２を引き上げる。
【００６９】
一実施形態において、試料回収が完了すると、前記生体液回収デバイス１０は前記チューブホルダ２１２から分離される。次に、図９を参照すると、前記キャップ２４は、前記生体液回収デバイス１０から除去される。前記キャップ２４は、前記ハウジング１４の前記出口３２を露出する前記生体液回収デバイス１０から除去される。除去は、前記キャップ２４の外側部分を把持して、前記キャップ２４を前記ハウジング１４から引き離す使用者によってなされる。前記血液試料１２は、前記キャップ２４の除去後、毛管作用によって、前記ハウジング１４の前記通路３４、例えば前記回収チャンバ１６の中で保持される。
【００７０】
次いで、前記血液試料１２は、前記変形可能部９２の活性化によって前記生体液回収デバイス１０から分注されてもよい。例えば、前記変形可能部９２は、前記試料１２が前記回収チャンバ１６内に含まれる初期位置（図９）と、前記変形可能部９２が前記膜６２の前記上面６６に接触し、前記試料１２の一部が前記回収チャンバ１６の前記出口３２から放出される変形位置（図１０）との間で移行可能である。
【００７１】
この方法において、前記血液試料に医師が曝露することを最小限に抑えつつ、前記血液試料１２は、例えばポイントオブケア試験デバイス、カートリッジテスタ又は近患者試験デバイスなど、前記試料を分析することが意図されるデバイスに移送されてもよい。
【００７２】
図４Ｃ及び図１１〜図１２を参照すると、第３構成において、前記生体液回収デバイス１０の前記ハウジング１４から除去されたクロージャ２２によって前記生体液回収デバイス１０は第３血液回収デバイス２３０に接続されてもよい。一実施形態において、前記第３血液回収デバイス２３０は、動脈血液回収デバイス２３２を含む。
【００７３】
血液試料を収容するために第３血液回収デバイス２３０に接続された生体液回収デバイス１０の使用は、図５〜図１０を参照して上記で記載された通りの第１血液回収デバイス２１０に接続された生体液回収デバイス１０の使用と同様である。
【００７４】
本開示が例示的な設計を有するものとして記載されたが、本開示は、本開示の精神及び範囲内でさらに改変されてもよい。ゆえに、本出願は、その一般的原理を用いた本開示の任意の変更、使用又は適合を包含することが意図される。さらに、本出願は、本開示が関連し、且つ添付の特許請求の範囲の範囲内にある、本技術分野において公知の又は通例の実施の範囲内にあるものなどの、本開示からの逸脱を包含することが意図される。
【図１】
2021522888.tif 000003
【図２】
2021522888.tif 000004
【図３Ａ】
2021522888.tif 000005
【図３Ｂ】
2021522888.tif 000006
【図４Ａ】
2021522888.tif 000007
【図４Ｂ】
2021522888.tif 000008
【図４Ｃ】
2021522888.tif 000009
【図５】
2021522888.tif 000010
【図６Ａ】
2021522888.tif 000011
【図６Ｂ】
2021522888.tif 000012
【図７Ａ】
2021522888.tif 000013
【図７Ｂ】
2021522888.tif 000014
【図８Ａ】
2021522888.tif 000015
【図８Ｂ】
2021522888.tif 000016
【図８Ｃ】
2021522888.tif 000017
【図８Ｄ】
2021522888.tif 000018
【図９】
2021522888.tif 000019
【図１０】
2021522888.tif 000020
【図１１】
2021522888.tif 000021
【図１２】
2021522888.tif 000022
【図１３】
2021522888.tif 000023
【図１４】
2021522888.tif 000024
【国際調査報告】
2021522888.tif 000025
2021522888.tif 000026